(57)【要約】      （修正有）【課題】印刷予約ファイルを用いて例えば１画像を複数ページに渡って強調して印刷する際、規格で定義されたパラメータ以外のパラメータを使用することなく、規格に即して強調印刷する画像を明示的に指定することができる印刷予約ファイル生成装置を提供する。【解決手段】印刷予約ファイル生成装置は、ユーザ操作により指定された画像のファイルパスを取得する取得手段と、取得した前記ファイルパスが登録された印刷予約ファイルを生成する生成手段と、を備える。生成手段は、ユーザ操作により画像の強調印刷が指定された場合、指定された画像のファイルパスを印刷予約ファイルに複数登録する。【選択図】図３
2017010497.tif 000002
【特許請求の範囲】
【請求項１】
ユーザ操作により指定された画像の画像特定情報を取得する取得手段と、
前記取得した前記画像特定情報が登録された印刷予約ファイルを生成する生成手段と、を備え、
前記生成手段は、ユーザ操作により前記画像の強調印刷が指定された場合、前記画像の前記画像特定情報又はコピー数を前記印刷予約ファイルに複数登録することを特徴とする印刷予約ファイル生成装置。
【請求項２】
画像特定情報は、画像のファイルパスであることを特徴とする請求項１に記載の印刷予約ファイル生成装置。
【請求項３】
画像データを記録媒体に記録する記録手段と、
前記記録媒体に記録された前記画像データを表示部に表示する表示手段と、を有し、
前記取得手段は、前記表示部に表示されている前記画像データの前記記録媒体での画像特定情報を取得し、
前記生成手段は、生成した前記印刷予約ファイルを前記画像データとともに前記記録媒体に記録することを特徴とする請求項１又は２に記載の印刷予約ファイル生成装置。
【請求項４】
前記印刷予約ファイルは、ＤＰＯＦ規格のAUTOPRINT.MRKファイル、AUTOXFER.MRKファイル及びAUTOPLAYn.MRK （ｎは０〜９の整数) ファイルのいずれかであることを特徴とする請求項１乃至３のいずれか一項に記載の印刷予約ファイル生成装置。
【請求項５】
請求項１乃至４のいずれか一項に記載の印刷予約ファイル生成装置で生成された印刷予約ファイルを使用して印刷を行う印刷装置であって、
前記印刷予約ファイルに同じ画像の画像特定情報又はコピー数が複数登録されていた場合、前記画像特定情報が複数登録された画像を他の画像と判別が付くように印刷効果を変更して強調印刷する印刷手段を備えることを特徴とする印刷装置。
【請求項６】
前記強調印刷では、前記画像を複数のページに渡って印刷することを特徴とする請求項５に記載の印刷装置。
【請求項７】
前記強調印刷では、画像の大きさを他の画像と変えて印刷することを特徴とする請求項５又は６に記載の印刷装置。
【請求項８】
前記強調印刷では、画像の形を他の画像と変えて印刷することを特徴とする請求項５乃至７のいずれか一項に記載の印刷装置。
【請求項９】
前記印刷手段は、複数のページに画像を印刷する際に、前記強調印刷する画像が表ページと裏ページに渡って印刷されてしまう場合は、前記強調印刷する画像を次の見開きページに移動させて印刷するか、もしくは表ページか裏ページのいずれか一方のページに全体が収まるように印刷することを特徴とする請求項５乃至８のいずれか一項に記載の印刷装置。
【請求項１０】
ユーザ操作により指定された画像の画像特定情報を取得する取得ステップと、
前記取得した前記画像特定情報が登録された印刷予約ファイルを生成する生成ステップと、を備え、
前記生成ステップは、ユーザ操作により前記画像の強調印刷が指定された場合、前記画像の前記画像特定情報又はコピー数を前記印刷予約ファイルに複数登録することを特徴とする印刷予約ファイル生成方法。
【請求項１１】
請求項１０に記載の印刷予約ファイル生成方法の各ステップをコンピュータに実行させることを特徴とするプログラム。
【発明の詳細な説明】
【技術分野】
【０００１】
本発明は、印刷する画像を印刷予約ファイルとして生成する印刷予約ファイル生成装置、印刷予約ファイル生成方法及びプログラム、並びに印刷予約ファイルを使用して印刷する印刷装置に関する。
【背景技術】
【０００２】
印刷する画像を予約する際には、ＤＰＯＦ (Digital Print Order Format)ファイルなどの印刷予約ファイルに画像を登録しておくことが知られている（特許文献１）。
【０００３】
また、印刷装置の性能が向上するにつれ、出力が複数ページに及ぶ場合、分割した２つの画像を１枚の用紙の表裏に印刷する、もしくは分割した２つの画像を異なる２枚の用紙の連続したページに印刷することが可能となってきている（特許文献２）。
【先行技術文献】
【特許文献】
【０００４】
【特許文献１】特開２００１−２３８１０５号公報
【特許文献２】特開平１１−０９１１８６号公報
【発明の概要】
【発明が解決しようとする課題】
【０００５】
しかし、上記特許文献１及び２では、ＤＰＯＦファイル等の印刷時の各種指定に関する情報が記述された印刷予約ファイルを用いて１画像を複数ページに渡って印刷する際には、ＤＰＯＦ規格等で定義されたパラメータ以外の独自パラメータを使用する必要がある。
【０００６】
そこで、本発明は、印刷予約ファイルを用いて例えば１画像を複数ページに渡って強調して印刷する際、規格で定義されたパラメータ以外のパラメータを使用することなく、規格に即して強調印刷する画像を明示的に指定することができる技術を提供する。
【課題を解決するための手段】
【０００７】
上記目的を達成するために、本発明の印刷予約ファイル生成装置は、ユーザ操作により指定された画像の画像特定情報を取得する取得手段と、前記取得した前記画像特定情報が登録された印刷予約ファイルを生成する生成手段と、を備え、前記生成手段は、ユーザ操作により前記画像の強調印刷が指定された場合、前記画像の前記画像特定情報又はコピー数を前記印刷予約ファイルに複数登録することを特徴とする。
【発明の効果】
【０００８】
本発明によれば、印刷予約ファイルを用いて例えば１画像を複数ページに渡って強調して印刷する際、印刷予約ファイルの規格で定義されたパラメータ以外のパラメータを使用することなく、規格に即して強調して印刷する画像を明示的に指定することができる。
【図面の簡単な説明】
【０００９】
【図１】本発明の第１の実施形態であるＤＰＯＦファイルを生成可能な印刷予約ファイル生成装置の構成例を示すブロック図である。
【図２】印刷予約ファイル生成装置をデジタルスチルカメラなどの撮像装置に適用した際の表示部とＧＵＩ操作部を示す図である。
【図３】印刷予約ファイル生成装置により生成されたＤＰＯＦファイルの一例を示す図である。
【図４】印刷予約ファイル生成装置により生成されたＤＰＯＦファイルの他の例を示す図である。
【図５】本発明の第２の実施形態である印刷装置の構成例を示すブロック図である。
【図６】印刷予約ファイルを用いて印刷装置が印刷した際の画像配置例を示す図である。
【図７】本発明の第３の実施形態において、ページ番号を独自パラメータで使用する場合の印刷予約ファイルの一例を示す図である。
【図８】１つのジョブを１ページとみなす場合の印刷予約ファイルの一例を示す図である。
【図９】本発明の第５の実施形態において、表紙、背表紙、及び裏表紙ページに画像を印刷する際の印刷予約ファイルの一例を示す図である。
【図１０】表紙、背表紙、及び裏表紙に渡って画像を印刷した際の画像配置を示す図である。
【図１１】ページ番号を独自パラメータで使用して、表紙、背表紙、及び裏表紙に印刷する画像を登録した際の印刷予約ファイルの一例を示す図である。
【発明を実施するための形態】
【００１０】
以下、図面を参照して、本発明の実施形態を説明する。
【００１１】
（第１の実施形態）
図１は、本発明の第１の実施形態であるＤＰＯＦファイルを生成可能な印刷予約ファイル生成装置の構成例を示すブロック図である。
【００１２】
図１に示すように、本実施形態の印刷予約ファイル生成装置１００は、Ｉ／Ｏ制御部１０２、画像再生部１０４、表示部１０５、ＧＵＩ制御部１０６、及びシステム制御部１０８の各ブロックを備える。システム制御部１０８は、装置全体を制御し、各ブロックは、バス１０３を介して互いにデータのやり取りが行われる。
【００１３】
Ｉ／Ｏ制御部１０２は、メモリカード１０１へのデータの読み書きを制御する。メモリカード１０１は、Ｉ／Ｏ制御部１０２を通して各ブロックとデータのやり取りを行う。メモリカード１０１は、リムーバブルメディアの記録媒体で構成され、複数の画像データが記録されている。メモリカード１０１に記録される画像データとしては、例えばカメラ等の不図示の撮像部によって得られた画像が例示できる。
【００１４】
画像再生部１０４は、Ｉ／Ｏ制御部１０２を介してメモリカード１０１から画像データを読み出し、デコード処理を行って表示可能な形式にデータ変換した後、表示部１０５に画像を表示させる。表示部１０５は、ＬＣＤ等で構成され、各ブロックからの表示要求に対応して表示画面を表示させる。
【００１５】
ＧＵＩ制御部１０６は、ユーザによるＧＵＩ操作部１０７のボタン操作を判定する。状況によりボタン操作の意味は変わってくるため、ＧＵＩ制御部１０６は、その状況に応じてボタン操作の意味を解釈し、必要な指示を各ブロックに対して発行する。
【００１６】
特に、本実施形態における印刷予約ファイル生成に関しては、ＧＵＩ制御部１０６は、ユーザによるＧＵＩ操作部１０７のボタン操作を判定する。そして、メモリカード１０１に記録された画像の画像送り命令、及び印刷を行う画像の印刷予約命令をシステム制御部１０８に対して行う。
【００１７】
システム制御部１０８は、画像送り命令を受けた場合、Ｉ／Ｏ制御部１０２を介してメモリカード１０１から画像データを読み出した後、画像データを画像再生部１０４に送信する。そして、システム制御部１０８の制御により、画像再生部１０４が表示部１０５で表示できるデータ形式にデコード処理を行い、表示部１０５が次画像、又は前画像の表示を行う。
【００１８】
また、システム制御部１０８は、画像の印刷予約命令を受けた際には、まず、表示部１０５に表示されている画像のメモリカード１０１内での画像特定情報の一例であるファイルパスを取得する。次に、システム制御部１０８は、取得したファイルパスが登録されたＤＰＯＦファイルを生成し、生成したＤＰＯＦファイルをＩ／Ｏ制御部１０２を介してメモリカード１０１に保存する。ＤＰＯＦファイルは、印刷時の各種指定に関する情報が記述されている印刷予約ファイルである。
【００１９】
図２は、本実施形態の印刷予約ファイル生成装置１００をデジタルスチルカメラなどの撮像装置に適用した際の表示部１０５とＧＵＩ操作部１０７を示す図である。
【００２０】
本実施形態では、ユーザは、画像の印刷予約を行う際に、該当の画像を強調して印刷するのか、通常の印刷を行うのか等を指定することができる。
【００２１】
具体的なユーザ操作としては、ＧＵＩ操作部１０７の左ボタン２０６、又は右ボタン２０７により画像送りを行うことで、ユーザは、まず、印刷する画像を表示部１０５に表示する。この状態で、印刷予約メニュー表示ボタン２０２を押下すると、印刷予約メニュー２０１が表示部１０５に表示される。
【００２２】
印刷予約メニュー２０１には、複数の項目が含まれており、ユーザは、上ボタン２０４又は下ボタン２０５を押下操作することで、選択されている項目を切り替えることができる。図２では、枠で囲った「強調印刷指定」の項目が選択されている状態である。この状態でＳＥＴボタン２０３を押下操作すると、選択中の項目が確定され、印刷予約ファイルが生成、もしくは既に印刷予約ファイルが存在する場合には更新される。
【００２３】
図２において、「強調印刷指定」を選択した場合、図３に示すようなＤＰＯＦファイルが生成される。表示部１０５に表示された画像に印刷予約メニュー２０１を表示し、「強調印刷指定」が指定された場合、表示中の画像 (図３では、７７７番の画像) のファイルパスを枠で囲って複数重畳して登録する。
【００２４】
なお、生成するＤＰＯＦファイルは、ファイルパスを複数回記述するのではなく、図４の枠で示したように、画像のコピー数を数値で指定するような記述でも良い。図４において、画像のコピー数を示しているパラメータである「IMG CPY＝2」は、ＤＰＯＦ規格では規定されていないことから、ベンダーユニークなパラメータであることを示すために、「VUQ RGN = BGN」と「VUQ RGN = END」で囲む。
【００２５】
コピー数を示すパラメータは、直後に記述されている画像ファイルパスにのみ適用されるものとし、４、５番の画像には、適用されない。また、図４では、コピー数は、画像のファイルパスの前に記述しているが、画像のファイルパスの後に記述するようにしてもよい。
【００２６】
以上説明したように、本実施形態では、ＤＰＯＦファイルを用いて１画像を複数ページに渡って印刷する際、ＤＰＯＦ規格で定義されたパラメータ以外のパラメータを使用することなく、規格に即して複数ページに渡って印刷する画像の明示的な指定が可能となる。
【００２７】
以上のように生成されたＤＰＯＦファイルを用いて印刷処理を行う印刷装置に関しては以下に説明する。
【００２８】
（第２の実施形態）
図５は、本発明の第２の実施形態である印刷装置の構成例を示すブロック図である。本実施形態の印刷装置は、上記第１の実施形態の印刷予約ファイル生成装置により生成された印刷予約ファイルを使用して印刷を行う。
【００２９】
図５に示すように、本実施形態の印刷装置４００は、Ｉ／Ｏ制御部４０２、画像再生部４０４、表示部４０５、ＧＵＩ制御部４０６、システム制御部４０８、出力部４０９、及び印刷予約ファイル解析部４１０の各ブロックを備える。システム制御部４０８は、装置全体を制御し、各ブロックは、バス４０３を介して互いにデータのやり取りが行われる。
【００３０】
Ｉ／Ｏ制御部４０２は、メモリカード４０１へのデータの読み書きを制御する。メモリカード４０１は、Ｉ／Ｏ制御部４０２を通して各ブロックとデータのやり取りを行う。メモリカード４０１は、リムーバブルメディア等の記録媒体で構成され、複数の画像データが記録されている。また、メモリカード４０１には、画像データの他に、図３及び図４で説明したＤＰＯＦファイルも併せて記録される。
【００３１】
画像再生部４０４は、Ｉ／Ｏ制御部４０２を介してメモリカード４０１から画像データを読み出し、デコード処理を行って表示可能な形式にデータ変換した後に表示部４０５に画像を表示させる。表示部４０５は、ＬＣＤ等で構成され、各ブロックからの表示要求に対応して表示画面を表示させる。
【００３２】
ＧＵＩ制御部４０６は、ユーザによるＧＵＩ操作部４０７のボタン操作を判定する。状況によりボタン操作の意味は変わってくるため、ＧＵＩ制御部４０６は、その状況に応じてボタン操作の意味を解釈し、必要な指示を各ブロックに対して発行する。
【００３３】
メモリカード４０１に画像ファイルとＤＰＯＦファイルが保存されていた場合、印刷予約ファイル解析部４１０は、システム制御部４０８の制御により、メモリカード４０１に記録されているＤＰＯＦファイルを解析する。解析時には、ＤＰＯＦファイルの記述内容が正しいか、さらに登録されている画像ファイルがメモリカード４０１に存在するか、複数登録された画像があるかを判断する。
【００３４】
そして、判断結果に問題がなければ、印刷予約ファイル解析部４１０は、ＤＰＯＦファイルに登録された画像のファイルパスをシステム制御部４０８に通知する。ここで、複数登録された画像のファイルパスは、複数登録されている回数分、システム制御部４０８に通知される。
【００３５】
システム制御部４０８は、通知されたファイルパスを基にＩ／Ｏ制御部４０２を介してメモリカード４０１から画像を読み出し、各ページにおける画像の配置を決定する。画像の配置は、システム制御部４０８が受信した画像のファイルパスが複数登録されている場合は、見開きページで印刷されるように決定される。各ページにおける画像配置が決定したら、システム制御部５０８は、画像ファイルと共に画像配置情報を出力部４０９に送信し、出力部４０９が実際に用紙に対して印刷を行う。
【００３６】
出力結果としては、上記第１の実施形態の印刷予約ファイル生成装置１００で生成したＤＰＯＦファイルであれば、図６に示すように、ファイルパスが複数登録された画像 (７７７番の画像) を２ページに渡って印刷する (図中Ａの領域) 。また、ファイルパスが複数登録されていない画像（４、５番の画像) に関しては、各ページに全体が収まるように印刷される (図中Ｂ，Ｃの領域) 。
【００３７】
（第３の実施形態）
本実施形態では、上記第１の実施形態の印刷予約ファイル生成装置１００において、各ページにどの画像を印刷するかを定義するパラメータを追加して、図７に示すように、印刷予約ファイルを生成する。図７において、ページ番号を示している「IMG PGE」パラメータは、ＤＰＯＦ規格では規定されていないことから、ベンダーユニークなパラメータであることを示すために、「VUQ RGN = BGN」と「VUQ RGN = END」で囲む。このページ番号パラメータは、次のページ番号パラメータまで有効とし、各ページ番号パラメータ以降に登録されているファイルパスの画像全てに適用されるものとする。
【００３８】
図７の例では、ページ番号１を示すパラメータは、画像ファイル７７７，４に対して適用され、ページ番号２を示すパラメータは、画像ファイル７７７，５に対して適用され、ページ番号３を示すパラメータは、画像ファイル６，７…に対して適用される。
【００３９】
このファイルを使用して印刷装置４００で印刷する場合も、図６に示すように、７７７番の画像は、１ページ目と２ページ目に渡って印刷され、４番の画像は、１ページ目に収まるように印刷され、５番の画像は、２ページ目に収まるように印刷される。なお、図７の例では、ページ番号を示すパラメータは、そのページに印刷する画像ファイルパスの前に記述しているが、画像ファイルパスの後に記述するようにしても良い。
【００４０】
他の印刷予約ファイルの記述方法として、図７の例では、ＤＰＯＦ規格に準拠していないので、図８に示すように、ＤＰＯＦ規格に準拠した記述を行うようにしても良い。この場合、印刷予約ファイル生成装置１００は、１つのジョブを１ページに相当させるように印刷予約ファイルを生成する。
【００４１】
一方、印刷装置４００は、この印刷予約ファイルを使用する場合、フィルパスが複数登録された画像を見開きページに渡って印刷するか否かを表示部４０５を用いてユーザに問い合わせる。そして、ユーザの選択内容に応じてファイルパスが複数登録された画像を見開きページに渡って印刷するか否かを決定する。ユーザがファイルパスが複数登録された画像を見開きページに渡って印刷する方法を選択した際の出力結果は、ベンダーユニークパラメータを使用した場合と同様に、図６に示す状態となる。
【００４２】
（第４の実施形態）
本実施形態では、印刷予約ファイルを使用して印刷装置４００で印刷する場合に、ページ構成上、見開きページでなく、表裏ページにファイルパスが複数登録された画像が配置されてしまう場合には、印刷時の画像配置を変更する。
【００４３】
画像配置の変更とは、例えば、次の見開きページにファイルパスが複数登録された画像を移動させて、該当画像を見開き２ページに渡って印刷するか、もしくは表ページか裏ページのいずれか一方のページのみに印刷することなどが考えられる。
【００４４】
（第５の実施形態）
本実施形態では、印刷予約ファイル生成装置１００、及び印刷装置４００を表紙、背表紙、裏表紙ページを印刷する際に適用する。この場合、印刷予約ファイル生成装置１００は、図９に示すように、表紙に使用する画像を先頭に記述し、背表紙に使用する画像を２番目に記述し、裏表紙に使用する画像を最後に記述したＤＰＯＦファイルを生成する。このＤＰＯＦファイルを使用して印刷する場合、印刷装置４００は、図１０に示すように、表紙、背表紙、裏表紙に渡って、７７７番の画像を印刷する。
【００４５】
なお、印刷予約ファイル生成装置１００は、上記第３の実施形態で説明したように、ページ番号を指定するベンダーユニークパラメータを用いて、図１１に示すようなＤＰＯＦファイルを生成しても良い。この場合、ページ番号０に登録する画像を、表紙、背表紙、及び裏表紙に使用する画像として登録する。図１１のＤＰＯＦファイルを使用して印刷装置４００が表紙、背表紙、裏表紙を印刷した場合の出力結果も、図１０の場合と同様となる。
【００４６】
（第６の実施形態）
本実施形態では、印刷予約ファイル生成装置１００は、印刷効果の強弱に応じて印刷予約ファイルの画像のファイルパスの登録回数を変更する。この印刷予約ファイルを用いて印刷する場合、印刷装置４００は、画像のファイルパスが登録されている回数に応じて印刷効果の強弱を変更する。印刷効果の強弱の変更は、例えば、ファイルパスの登録回数が多いほど、該当画像の印刷時のサイズを大きくすることなどが考えられる。
【００４７】
なお、本発明は、上記各実施形態に例示したものに限定されるものではなく、本発明の要旨を逸脱しない範囲において適宜変更可能である。
【００４８】
例えば、上記各実施形態では、印刷予約ファイル中に同じ画像のファイルパスが複数登録されていた場合に、該当画像を複数ページに渡って印刷する場合を例示したが、該当画像の印刷効果を他のものに変更して印刷しても良い。例えば、ファイルパスが複数登録されていた画像を、他の画像とは異なるサイズで印刷する、他の画像とは異なる形やアスペクトで印刷するなど、視覚的に他の画像と判別が付くように強調して印刷効果を変更することが考えられる。
【００４９】
また、上記各実施形態では、印刷予約ファイルは、ＤＰＯＦ規格におけるAUTOPRINT.MRKファイルを例示したが、これに限定されない。例えば、ＤＰＯＦ規格におけるAUTOXFER.MRKファイルやAUTOPLAYn.MRK (ｎは、０〜９の整数) ファイルを用いても良いし、その他のＤＰＯＦ規格以外の印刷予約ファイルを用いても良い。
【００５０】
また、本発明は、印刷予約ファイル生成装置及び印刷装置のそれぞれについて以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５１】
１００  印刷予約ファイル生成装置
４００  印刷装置
１０１，４０１  メモリカード
１０２，４０２  Ｉ／Ｏ制御部
１０３，４０３  バス
１０４，４０４  画像再生部
１０５，４０５  表示部
１０６，４０６  ＧＵＩ制御部
１０７，４０７  ＧＵＩ操作部
１０８，４０８  システム制御部
４０９  出力部
４１０  印刷予約ファイル解析部
【図１】
2017010497.tif 000003
【図２】
2017010497.tif 000004
【図３】
2017010497.tif 000005
【図４】
2017010497.tif 000006
【図５】
2017010497.tif 000007
【図６】
2017010497.tif 000008
【図７】
2017010497.tif 000009
【図８】
2017010497.tif 000010
【図９】
2017010497.tif 000011
【図１０】
2017010497.tif 000012
【図１１】
2017010497.tif 000013